【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、１以上のレンズ群を含む後群を有し、各レンズ群の間隔を変化させてズーミングを行うズームレンズにおいて、フォーカスに際して互いに独立して移動する第１のフォーカス群と第２のフォーカス群を有し、前記第２のフォーカス群は正レンズと負レンズを各々１以上有しており、前記第２のフォーカス群の負レンズの材料のアッベ数の平均値をνＮ２、前記第２のフォーカス群の正レンズの材料のアッベ数の平均値をνＰ２とし、前記第１のフォーカス群のみで無限遠物体から至近距離物体へのフォーカシングを行なった際の無限遠物体でのｇ線の結像位置に対する至近距離物体でのｇ線の結像位置が画面周辺から画面中心へと変化するときをΔｇ＝１、画面中心から画面周辺へと変化するときをΔｇ＝２、前記第２のフォーカス群が無限遠物体から至近距離物体へフォーカスする際に像側から物体側へ移動するときをΔＸ２＝１、物体側から像側へ移動するときをΔＸ２＝２としたとき、
（−１）Δｇ×（νＮ２−νＰ２）×（−１）ΔＸ２  ＞  ０
なる条件式を満足することを特徴とするズームレンズ。
【請求項２】
物体側より像側へ順に、負の屈折力の第１レンズ群、正の屈折力の第２レンズ群、１以上のレンズ群を含む後群を有し、各レンズ群の間隔を変化させてズーミングを行うズームレンズにおいて、フォーカスに際して互いに独立して移動する第１のフォーカス群と第２のフォーカス群を有し、前記第１、第２のフォーカス群はいずれも正レンズと負レンズとを各々１以上有しており、前記第１のフォーカス群の負レンズの材料のアッベ数の平均値をνＮ１、前記第１のフォーカス群の正レンズの材料のアッベ数の平均値をνＰ１とし、前記第２のフォーカス群の負レンズの材料のアッベ数の平均値をνＮ２、前記第２のフォーカス群の正レンズの材料のアッベ数の平均値をνＰ２とし、前記第１のフォーカス群が無限遠物体から至近距離物体へフォーカスする際に像側から物体側へ移動するときをΔＸ１＝１、物体側から像側へ移動するときをΔＸ１＝２、前記第２のフォーカス群が無限遠物体から至近距離物体へフォーカスする際に像側から物体側へ移動するときをΔＸ２＝１、物体側から像側へ移動するときをΔＸ２＝２、無限遠物体から至近距離物体へフォーカスする際に前記第１のフォーカス群と前記第２のフォーカス群が光軸上を同じ方向に移動するときをΔｈ１＝２、光軸上を逆方向に移動するときをΔｈ１＝１とおいたとき、
（−１）ΔＸ１×（−１）Δｈ１×（νＮ１−νＰ１）×（νＮ２−νＰ２）×（−１）ΔＸ２  ＜  ０
なる条件式を満足することを特徴とするズームレンズ。
【請求項３】
物体側より像側へ順に、負の屈折力の第１レンズ群、正の屈折力の第２レンズ群、負の屈折力の第３レンズ群、正の屈折力の第４レンズ群を有し、各レンズ群の間隔を変化させてズーミングを行うズームレンズにおいて、前記第３レンズ群は負の屈折力の第３ａレンズ群と負の屈折力の第３ｂレンズ群とを有し、前記第３ｂレンズ群は正レンズと負レンズを有しており、フォーカスに際して互いに独立して移動する第１のフォーカス群と第２のフォーカス群を有し、前記第３ｂレンズ群は前記第２のフォーカス群を構成しており、ｉを物体側から数えたレンズ群の順番とし、広角端と望遠端における第ｉレンズ群と第ｉ＋１レンズ群の空気間隔を各々Ｄｉｗ、Ｄｉｔ、前記第２のフォーカス群を構成する負レンズの材料のアッベ数の平均値をνＮ２、前記第２のフォーカス群を構成する正レンズの材料のアッベ数の平均値をνＰ２とし、前記第１のフォーカス群のみで無限遠物体から至近距離物体へのフォーカシングを行なった際の無限遠物体でのｇ線の結像位置に対する至近距離物体でのｇ線の結像位置が画面周辺から画面中心へと変化するときをΔｇ＝１、画面中心から画面周辺へと変化するときをΔｇ＝２、前記第２のフォーカス群が無限遠物体から至近距離物体へフォーカスする際に像側から物体側へ移動するときをΔＸ２＝１、物体側から像側へ移動するときをΔＸ２＝２とおいたとき、
Ｄ１ｗ  ＞  Ｄ１ｔ
Ｄ２ｗ  ＜  Ｄ２ｔ
Ｄ３ｗ  ＞  Ｄ３ｔ
（−１）Δｇ×（νＮ２−νＰ２）×（−１）ΔＸ２  ＞  ０
なる条件式を満足することを特徴とするズームレンズ。
【請求項４】
物体側より像側へ順に、負の屈折力の第１レンズ群、正の屈折力の第２レンズ群、負の屈折力の第３レンズ群、正の屈折力の第４レンズ群を有し、各レンズ群の間隔を変化させてズーミングを行うズームレンズにおいて、前記第３レンズ群は負の屈折力の第３ａレンズ群と負の屈折力の第３ｂレンズ群とを有し、前記第３ｂレンズ群は正レンズと負レンズを有しており、フォーカスの際に互いに独立して移動する第１のフォーカス群と第２のフォーカス群を有し、前記第３ｂレンズ群は前記第２のフォーカス群を構成しており、ｉを物体側から数えたレンズ群の順番とし、広角端と望遠端における第ｉレンズ群と第ｉ＋１レンズ群の空気間隔を各々Ｄｉｗ、Ｄｉｔ、前記第１のフォーカス群が無限遠物体から至近距離物体へフォーカスする際に像側から物体側へ移動するときをΔＸ１＝１、物体側から像側へ移動するときをΔＸ１＝２、前記第２のフォーカス群が無限遠物体から至近距離物体へフォーカスする際に像側から物体側へ移動するときをΔＸ２＝１、物体側から像側へ移動するときをΔＸ２＝２、前記第１のフォーカス群を構成する負レンズの材料のアッベ数の平均値をνＮ１、前記第１のフォーカス群を構成する正レンズの材料のアッベ数の平均値をνＰ１とし、前記第２のフォーカス群を構成する負レンズの材料のアッベ数の平均値をνＮ２、前記第２のフォーカス群を構成する正レンズの材料のアッベ数の平均値をνＰ２とし、無限遠物体から至近距離物体へフォーカスする際に前記第１のフォーカス群と前記第２のフォーカス群が光軸上を同じ方向に移動するときをΔｈ１＝２、光軸上を逆方向に移動するときをΔｈ１＝１とおいたとき、
Ｄ１ｗ  ＞  Ｄ１ｔ
Ｄ２ｗ  ＜  Ｄ２ｔ
Ｄ３ｗ  ＞  Ｄ３ｔ
（−１）ΔＸ１×（−１）Δｈ１×（νＮ１−νＰ１）×（νＮ２−νＰ２）×（−１）ΔＸ２  ＜  ０
なる条件式を満足することを特徴とするズームレンズ。
【請求項５】
前記第３レンズ群と前記第３ｂレンズ群の焦点距離を各々ｆ３、ｆ３ｂとするとき、
０．１    ＜  ｆ３／ｆ３ｂ  ＜  ０．５
なる条件式を満足することを特徴とする請求項３又は４に記載のズームレンズ。
【請求項６】
前記第１、第２、第３レンズ群の焦点距離を順にｆ１、ｆ２、ｆ３、広角端と望遠端における全系の焦点距離を各々ｆｗ、ｆｔとするとき、
０．７＜｜ｆ１｜／√（ｆｗ・ｆｔ）＜１．２
０．５＜ｆ２／√（ｆｗ・ｆｔ）＜１
０．６＜｜ｆ３｜／√（ｆｗ・ｆｔ）＜１
なる条件式を満足することを特徴とする請求項３乃至５のいずれか１項に記載のズームレンズ。
【請求項７】
前記第４レンズ群の像側に、ズーミングに際して移動する負の屈折力の第５レンズ群と、ズーミングに際して不動の正の屈折力の第６レンズ群を有しており、前記第５レンズ群は前記第１のフォーカス群を構成していることを特徴とする請求項３乃至６のいずれか１項のズームレンズ。
【請求項８】
前記第１レンズ群は第１のフォーカス群を構成していることを特徴とする請求項３乃至６のいずれか１項に記載のズームレンズ。
【請求項９】
前記第１レンズ群は負の屈折力の第１ａレンズ群と負の屈折力の第１ｂレンズ群を有し、該第１ｂレンズ群は前記第１のフォーカス群を構成していることを特徴とする請求項３乃至６のいずれか１項のズームレンズ。
【請求項１０】
請求項１から９のいずれか１項のズームレンズと、該ズームレンズによって形成された像を受光する固体撮像素子を有することを特徴とする撮像装置。
【手続補正２】
【補正対象書類名】明細書
【補正対象項目名】０００３
【補正方法】変更
【補正の内容】
【０００３】
ネガティブリード型のズームレンズとして、物体側から像側へ順に少なくとも負、正、負、正の屈折力の４つのレンズ群を有するズームレンズが知られている（特許文献１〜３）。
【手続補正３】
【補正対象書類名】明細書
【補正対象項目名】００２２
【補正方法】変更
【補正の内容】
【００２２】
本発明のズームレンズは、物体側より像側へ順に、負の屈折力の第１レンズ群、正の屈折力の第２レンズ群、１以上のレンズ群を含む後群を有し、各レンズ群の間隔を変化させてズーミングを行うズームレンズにおいて、フォーカスに際して互いに独立して移動する第１のフォーカス群と第２のフォーカス群を有し、前記第２のフォーカス群は正レンズと負レンズを各々１以上有しており、前記第２のフォーカス群の負レンズの材料のアッベ数の平均値をνＮ２、前記第２のフォーカス群の正レンズの材料のアッベ数の平均値をνＰ２とし、前記第１のフォーカス群のみで無限遠物体から至近距離物体へのフォーカシングを行なった際の無限遠物体でのｇ線の結像位置に対する至近距離物体でのｇ線の結像位置が画面周辺から画面中心へと変化するときをΔｇ＝１、画面中心から画面周辺へと変化するときをΔｇ＝２、前記第２のフォーカス群が無限遠物体から至近距離物体へフォーカスする際に像側から物体側へ移動するときをΔＸ２＝１、物体側から像側へ移動するときをΔＸ２＝２としたとき、
（−１）Δｇ×（νＮ２−νＰ２）×（−１）ΔＸ２  ＞  ０
なる条件式を満足することを特徴としている。
【手続補正４】
【補正対象書類名】明細書
【補正対象項目名】００６５
【補正方法】変更
【補正の内容】
【００６５】
０．７＜｜ｆ１｜／√（ｆｗ・ｆｔ）＜１．２      ・・・（４）
０．５＜ｆ２／√（ｆｗ・ｆｔ）＜１              ・・・（５）
０．６＜｜ｆ３｜／√（ｆｗ・ｆｔ）＜１          ・・・（６）
【手続補正５】
【補正対象書類名】明細書
【補正対象項目名】００８６
【補正方法】変更
【補正の内容】
【００８６】
０．７５＜｜ｆ１｜／√（ｆｗ・ｆｔ）＜１．１０      ・・・（４ａ）
０．６＜ｆ２／√（ｆｗ・ｆｔ）＜０．９              ・・・（５ａ）
０．７０＜｜ｆ３｜／√（ｆｗ・ｆｔ）＜０．９５      ・・・（６ａ）
【手続補正６】
【補正対象書類名】明細書
【補正対象項目名】０１２６
【補正方法】変更
【補正の内容】
【０１２６】
又、第１レンズ群Ｌ１の物体側又は最終レンズ群の像側の少なくとも一方にコンバーターレンズやアフォーカルレンズ群等の屈折力のあるレンズ群が位置していても良い。